(57)【要約】      （修正有）【課題】現代のストレス社会における心身的な負荷の軽減が可能な家庭向け神棚奉納用の榊を提供する。【解決手段】竹ひご１１は榊の枝葉１にテープ１０で取り付けられ、また、紙垂１３の上端は、竹ひごの上端に麻紐１２で取り付けられている。このような態様で、紙垂は、竹ひごを介して、榊の枝葉に取り付けられる。この構成により、榊の枝葉の先端部を上方にして、榊の枝葉の長手方向を鉛直に向けたとき、紙垂は、榊の枝葉に沿って、榊の枝葉の先端部から下端部方向に、垂れ下がる。かくして、実施例の紙垂付き榊１５は、神の領域と人の領域を区別する紙垂により、神聖なる空間を現し、空間を浄化し、邪気を払うことで心身の健康や開運に寄与し、ひいては現代のストレス社会における心身的な負荷を軽減することができる。【選択図】図３
0003234319.tif 000002
【実用新案登録請求の範囲】
【請求項１】
榊の枝葉と、紙垂と、竹ひごその他の串状物とを有してなり、
前記串状物は、前記榊の枝葉の長手方向に平行に、前記榊の枝葉に取り付けられ、
前記榊の枝葉の先端部を上方にして、前記榊の枝葉の長手方向を鉛直に向けたとき、前記紙垂は、前記榊の枝葉に沿って、前記榊の枝葉の先端部から下端部方向に、垂れ下がるように、前記串状物に取り付けられている
ことを特徴とする家庭向け神棚奉納用紙垂付き榊。
【請求項２】
前記串状物の一端部は、前記榊の枝葉の下端部に取り付けられ、
前記串状物の他端部は、前記榊の枝葉の先端部に位置し、
前記紙垂の一端部は、前記串状物の前記他端部に取り付けられている
ことを特徴とする請求項１に記載の家庭向け神棚奉納用紙垂付き榊。
【請求項３】
前記榊の枝葉は、沿岸地域で植樹されている肉厚で病害にも強く、艶やかで良質な少なくとも１本の純国産榊でなり、
前記紙垂および前記串状物は、前記榊の枝葉を軸とし、前記榊の枝葉を中心に、取り付けられ、組み合わされている
ことを特徴とする請求項１または２に記載の家庭向け神棚奉納用紙垂付き榊。
【請求項４】
中心部に配置する前記榊の枝葉は、沿岸地域に生息されているものであることを特徴とする請求項１乃至３に記載の家庭向け神棚奉納用紙垂付き榊。
【請求項５】
前記紙垂を中心部に結うことで、邪気を払い空間を浄化し、古き良き日本の文化を再確認し、身近に神仏の恩恵を受け、更なる健康祈願や所願成就に貢献することを特徴とする請求項１乃至４に記載の家庭向け神棚奉納用紙垂付き榊。
【考案の詳細な説明】
【技術分野】
【０００１】  本考案は、家庭向け神棚奉納用榊に関し、特に紙垂（しで）付き榊に関する。また、本考案による家庭向け神棚奉納用榊の好適な実施分野として、農業と福祉事業とを連携する、いわゆる農福連携事業を上げることができる。
【背景技術】
【０００２】  神仏に手を合わせる文化は、日本古来の文化であり、道徳心や信心を深める信心的文化として、現代の日本人にも継承されている。神棚用榊への関心は、この日本の伝統文化に由来している。【０００３】  神棚用榊については、例えば、特許文献１の実用新案登録第３１７１３０５号公報「神事又は仏事供花用榊」に記載がある。この特許文献１の神事又は仏事供花用榊は、年間を通じて入手が容易で、しかも見栄えが良く、安価な榊を提供することを目的としている。【０００４】  特許文献１に記載の榊では、その目的は、産地や品質の異なる複数の榊の枝葉を備え、それら複数の榊の枝葉の葉面を形良く揃えることにより、達成される、としている。
【先行技術文献】
【特許文献】
【０００５】
【特許文献１】実用新案登録第３１７１３０５号公報
【考案の概要】
【考案が解決しようとする課題】
【０００６】  このように、特許文献１に記載の技術では、年間を通じて入手が容易で、しかも見栄えが良く、安価な榊を提供することを目的としている。【０００７】  榊は、前述のとおり、道徳心や信心を深める信心的文化に由来し、長く日本文化として継承されてきたのである。特許文献１に記載の技術では、複雑な現代社会において求められている道徳心や信心を深める信心的作用は期待できない。そこで、本考案が解決しよとする課題は、現代のストレス社会における心身的な負荷の軽減が可能な家庭向け神棚奉納用の榊を提供することである。
【課題を解決するための手段】
【０００８】  前述の課題を解決するために、本考案になる家庭向け神棚奉納用紙垂付き榊は、
榊の枝葉と、紙垂と、竹ひごその他の串状物とを有してなり、
前記串状物は、前記榊の枝葉の長手方向に平行に、前記榊の枝葉に取り付けられ、
前記榊の枝葉の先端部を上方にして、前記榊の枝葉の長手方向を鉛直に向けたとき、前記紙垂は、前記榊の枝葉に沿って、前記榊の枝葉の先端部から下端部方向に、垂れ下がるように、前記串状物に取り付けられている
ことを特徴とする。
【考案の効果】
【０００９】  古来より、紙垂は、神の領域と人の領域を区別する神聖なる空間を現し、空間を浄化し邪気を払うことで心身の健康や開運に寄与することができる、とされている。【００１０】  本考案の紙垂付き榊においては、上記のように、榊の枝葉の先端部を上方にして、榊の枝葉の長手方向を鉛直に向けたとき、紙垂は、榊の枝葉に沿って、榊の枝葉の先端部から下端部方向に、垂れ下がるように、竹ひごその他の串状物に取り付けられている。このように、本考案では、榊の枝葉に沿って、榊の先端部から下端部方向に、垂れ下がるように紙垂を設けるので、家庭用神棚において、空間を浄化し、邪気を払うことができ、家族の心身の健康や開運に寄与することができる。ひいては、本考案の家庭向け神棚奉納用紙垂付き榊により、現代のストレス社会における心身的な負荷を軽減することができる。
【図面の簡単な説明】
【００１１】
【図１】  本考案の一実施例に用いる榊の枝葉１を示す正面図である。
【図２】  本考案の一実施例に用いる竹ひご１１、麻紐１２、紙垂１３、竹ひご１１に紙垂１３を麻紐１２で結び付けた組合せ１４を示す正面図である。
【図３】  本考案の一実施例である家庭向け神棚奉納用紙垂付き榊１５を示す正面図である。
【図４】  図３の垂付き榊１５を筒状包装用スリーブ１７で包装した組合せを示す正面図である。
【考案を実施するための形態】
【００１２】  次に、図面を参照して、本考案を一層具体的に説明する
【００１３】  図面を参照して具体的に説明するに先立って、本考案の特徴について、説明する。榊を供えられた家庭の神棚を祀（まつ）る事で、「家内安全」「心身健康」「所願成就」「良縁吉祥」などを神に祈願し、家庭の平安を保ってきた古き良き日本の伝統的文化が現代という時代にも脈々と継承されてきてはいるが、近年はその継承がかなり希薄化してきた。こういう時代背景の下に、本考案は創案された。２０２０年に世界的に大流行した疫病を終息させ、心身のストレスの増加に伴う様々な弊害を軽減し、先に上げたような人々の願いを成就することが求められている。このような世の要請に応えるべく、本願は、日本の文化を身近な生活に取り入れることで、神聖な空間を保ち、心身健康に貢献する技術思想を、本考案は提案するものである。
【００１４】  本考案に係る家庭向け神棚奉納用紙垂付き榊は、神の領域と人の領域を区別する紙垂により、神聖なる空間を現し、空間を浄化し、邪気を払うことで心身の健康や開運に寄与することができる。そして、本考案では、家庭の神棚にまつわる水換えなどの日々の作法によってその神の領域に触れ、感謝の念と共に日本の文化を慈しむ機会を増やし、現代のストレス社会における心身的な負荷の軽減を可能にするものである。なお、本考案に係る家庭向け神棚奉納用紙垂付き榊は、このような現代社会になじむ特性から、農業と福祉事業とを連携する、いわゆる農福連携事業による製作に好適である。
【実施例】
【００１５】  図１は、本考案の一実施例に用いる榊の枝葉１を示す正面図である。本図の榊の枝葉１は、１本枝葉でなっている。しかし、本考案では、榊の枝葉は複数の枝葉をまとめて束ねたものでも差し支えない。図１に示した榊の枝葉１は、沿岸地域で植樹されている肉厚で病害にも強く、艶やかで良質な純国産榊でなる。【００１６】  図２は、図１の榊の枝葉１に取り付けて、その一実施例を構成するのに用いるものを示す。１１は竹ひご、１２は麻紐、１３は紙垂である。また、１４は、竹ひご１１、麻紐１２および紙垂１３を組み合わせたものである。この組合せ１４は、竹ひご１の上端部に、紙垂１３の上端部を麻紐１２で結び付けてなる。【００１７】  図３は、本考案の一実施例である家庭向け神棚奉納用紙垂付き榊１５を示す。この紙垂付き榊１５は、図１の榊の枝葉１に、図２に示した組合せ１４を取り付けてなる。テープ１０でもって、榊の枝葉１の下端部に竹ひご１１の下端を固定し、榊の枝葉１に組合せ１４を取り付けている。紙垂１３および竹ひご１１は、榊の枝葉１を軸とし、榊の枝葉１を中心に、取り付けられ、組み合わされている。【００１８】  図３のように、榊の枝葉１に組合せ１４を取り付けることにより、榊の枝葉１の先端部を上方にして、榊の枝葉１の長手方向を鉛直に向けたとき、紙垂１３は、榊の枝葉１に沿って、榊の枝葉１の先端部から下端部方向に、垂れ下がるように、竹ひご１１に取り付けられる。このような態様で、紙垂１３は、竹ひご１１を介して、榊の枝葉１に取り付けられる。かくして、図３の実施例の家庭向け神棚奉納用紙垂付き榊は、神の領域と人の領域を区別する紙垂１３により、神聖なる空間を現し、空間を浄化し、邪気を払うことで心身の健康や開運に寄与することができ、ひいては現代のストレス社会における心身的な負荷を軽減することができる。【００１９】  図４は、図３に示した本考案の一実施例である家庭向け神棚奉納用紙垂付き榊１５を筒状包装用スリーブ１７で包装した組合せ（形態）を示す。図４に示すように、紙垂付き榊１５を筒状包装用スリーブ１７で包装することにより、紙垂付き榊１５が、他の物に触れたりして、損傷することを防ぐことができる。そこで、図４の形態は、紙垂付き榊１５の販売や移動に適する。【００２０】  図４は、図３に示した本考案の一実施例である家庭向け神棚奉納用紙垂付き榊１５を筒状包装用スリーブ１７で包装した形態を示す。１６は、筒状包装用スリーブ１７を榊の枝葉１および竹ひご１１に固定するテープである。図４の形態により、紙垂付き榊１５に他の物が触れて、紙垂付き榊１５が損傷することを防ぐことができる。そこで、図４の形態は、紙垂付き榊１５の販売や、移動に適する。【００２１】  以上には、本考案の実施例を、図面を参照して具体的に詳しく説明した。しかし、本考案がこの実施例に限られるものでないことは言うまでもない。例えば、実施例では、串状物を竹ひごとした。しかし、本考案では、串状物の素材は、竹に限らず、プラスチック、木その他の物であっても差し支えない。また、実施例では、榊の枝葉は、１本の榊でなるとしたが、榊の枝葉は、複数本を束ねたものであっても差し支えない。このとき、紙垂および竹ひごその他の串状物が、榊の枝���を軸とし、榊の枝葉を中心に、取り付けられ、組み合わされており、中心部に配置する榊の枝葉を、沿岸地域に生息されているものとすることができる。
【符号の説明】
【００２２】１    榊の枝葉
１０    テープ
１１    竹ひご
１２    麻紐
１３    紙垂
１４    竹ひご１１に紙垂１３を麻紐１２で結び付けた組合せ
１５    紙垂付き榊
１６    テープ
１７    筒状包装用スリーブ
【図１】
0003234319.tif 000003
【図２】
0003234319.tif 000004
【図３】
0003234319.tif 000005
【図４】
0003234319.tif 000006